(57)【要約】【課題】岩盤の中に掘削される穴（１）に用い、穴に対して横断方向の岩盤の割れ目（２）の中の流量を測定する流量計に関する。【解決手段】流量計は、穴の直径より実質的に小さい横断面を有する細長い本体（３）と、実質的に気密された方法において、調査される区間を、前記穴の他の部分から分離するために、前記穴の長手方向において、互いに距離をおいて配置される分離部材（４）と、前記調査される区間を前記穴の長手方向の２つの区域に分離する分割部材（５）と、区域間での流れの方向および速度を測定するフローセンサを備え、本体を通って延びる流路（６）とを備える。本発明によれば、分離部材（５）は、薄く形成され、本体に固定された弾性シールストリップ（７）であり、本体の表面に対して実質的に垂直であり、区域を包囲して区切るために構成される。【選択図】図１
2010502973.tif 000002
【特許請求の範囲】
【請求項１】
岩盤の中に掘削される穴（１）に用い、前記穴に対して横断方向の岩盤の割れ目（２）の中の流量を測定する流量計であって、
前記穴の直径より実質的に小さい横断面を有する細長い本体（３）と、
実質的に気密された方法において、調査される区間を前記穴の他の部分から分離するために、前記穴の長手方向において、互いに距離をおいて配置される分離部材（４）と、
前記調査される区間を前記穴の前記長手方向の２つの区域に分離する分割部材（５）と、
前記区域間での流れの方向および速度を測定するフローセンサを備え、前記本体を通って延びる流路（６）と、を備え、
前記分割部材（５）は薄く形成され、前記本体に固定された弾性シールストリップ（７）であり、前記本体の表面に対して実質的に垂直であり、区域を包囲して区切るために構成される、ことを特徴とする流量計。
【請求項２】
前記弾性シールストリップ（７）は、途切れのない連接部を有する、ことを特徴とする請求項１に記載の流量計。
【請求項３】
前記弾性シールストリップ（７）は、前記本体の前記長手方向における２つの直線状の分割壁（８）と、
端部において前記分割壁（８）と共に連結する環状端壁（９）とを有する、ことを特徴とする請求項１または２に記載の流量計。
【請求項４】
前記分割壁（８）および前記環状端壁（９）の内側縁部は、前記本体（３）に対して配置されて、前記本体に押圧封止接続によって固定される引伸し部（１０）を有する、ことを特徴とする請求項３に記載の流量計。
【請求項５】
前記分離部材（４）は、前記本体（３）の前記長手方向に配置された弾性を有する円板状リングであり、端部で同じ方向に曲がる、ことを特徴とする請求項１乃至４のいずれか１つに記載の流量計。
【請求項６】
前記流量計は、補助分離部材（１１）によって区切られる第２区間（１２）を有し、
第２区間には、前記岩盤の前記穴の周辺で電気伝導率を測定する測定手段（１３）を配置した、ことを特徴とする請求項１乃至５のいずれか１つに記載の流量計。
【発明の詳細な説明】
【技術分野】
【０００１】
本発明は、請求項１に記載の流量計に関する。
【背景技術】
【０００２】
特に、放射性廃棄物のための廃棄処分用地を調査する際に、どんな種類の流れが、岩盤およびその異なる割れ目において見られるかを知る必要がある。
つまり、これらの流れの方向および速度がどれほどであるかを知る必要がある。
【０００３】
これらの種類の流れ測定において、少しの流量および流速によってもたらされる問題がある。
先行技術にあっては、岩盤の掘削した穴からある区間を分離することによって、かつ適切な混合物または溶液を充填することによって流量の測定が試みられ、それによって、流量をこの混合物または溶液の濃度変化を観測することによって測定することができる。
しかしながら、この方法では、流れの方向に関する情報を何も与えない。
【０００４】
岩盤の割れ目を観測することができる流路において、種々の追跡子を用いて流れの方向の測定が試みられた。
【０００５】
全ての公知の流量測定方法に関する問題は、それらが低速に機能することにある。
なぜなら、流量のオーダーが毎時約１ミリリットルであり、１回の測定を実行するために通常は一ヶ月間が必要になり、それによって、広範囲にわたる領域、および多くのボーリング穴から情報を採取することは、高コストであり、時間がかかる。
【０００６】
上記の問題は、フィンランド国特許ＦＩ１１０３３５号によれば流量計を用いることによって軽減される。その特許においては、環状のシール部材が、特定の区間の容積を穴から切り離すために用いられ、内部圧力によって拡張可能な分割部材によって区域が分離され、その区域間の流れがその区域に連結する流路において測定される。
上記装置は、良好に機能し、極めて正確である。しかし、上記装置は、複雑な構造を有し、従って、高コストであり、かつ深い穴の中で用いられる場合に、比較的時間がかかる。
【０００７】
先行技術に記述された別の流量計が、フィンランド国特許ＦＩ１１０３３６号に開示されている。
その流量計は、円板状の分離部材を用いて、計測穴から調査される区間を分離することに基づき、この計測区間と計測流路を通る外部とを連結し、それによって、岩盤の割れ目から分離された区間を通り岩盤の割れ目に戻る流れを得ることができる。
上記装置は、岩盤から穴へ、または、穴から岩盤へ通る流れを測定するために用いられる。
上記先行技術は、その先行技術の目的のために開発された機能については適切である。しかしながら、正確な方向および穴に対する横断方向の流量、すなわち、穴と交差する流量を測定することに用いることができない。
【発明の概要】
【発明が解決しようとする課題】
【０００８】
本発明の課題は、上記参照される欠点を取り除くことにある。
本発明の課題の１つの詳細は、横断方向の裂け目のボーリング穴を通るさらに少しの流れを単純かつ迅速な方法で計測するのに用いることができる新規な流量計を開示することにある。
本発明の別の課題はまた、横断方向の流量測定を必要とする裂け目および割れ目に迅速かつ容易に配置するのに用いることができる流量計を開示することにある。
【課題を解決するための手段】
【０００９】
本発明による流量計は、請求項１に示された特徴を有する。
【００１０】
本発明による流量計は、穴に対して横断方向である岩盤の割れ目および裂け目における流量を測定するため、すなわち、このような割れ目における流れの方向および速度の両方を測定するため、岩盤において掘削される穴の中で用いられることを示す。
流量計は、穴の直径より実質的に小さい横断面を有する細長い本体と、実質的に気密された方法において、調査される区間を穴の他の部分から分離するために、本体の長手方向において、互いに距離をおいて配置される分離部材とを備える。
さらにまた、流量計は、調査される区間を穴の長手方向の２つの領域に分離するための分割部材と、本体を通って延び、その区間での流れの方向および速度を測定するためのフローセンサを備える流路とを備える。
本発明によれば、分離部材は、薄く形成された弾性シールストリップであり、本体に固定され、本体の表面に対して実質的に垂直であり、区域を包囲して区切るように構成され、穴の表面に対して十分に密着して押圧される。
シールストリップの幅は、再成形可能にサイズ設定され、弾性構造が岩の掘削された表面に対して曲がった外縁を押圧する場合に、穴の表面に対して曲がるようになる。
【００１１】
本発明は、導電性横断方向の流量測定において、穴の横断方向にかかる圧力差が、非常に小さいので、比較的わずかな圧力密閉でも、測定のために要求される精度でもって発生している流れを互いから分離するのに十分であるという認識が得られる。
この方法において、単一の弾性ストリップは、適切なゴムまたはプラスチックからなり、更に、好ましくは僅かに屈曲するために先細りにされた外縁を有し、測定区域との間に十分な密閉状態を形成する。
【００１２】
好ましくは、シールストリップは、途切れのない連接部が形成され、すなわち、一部の材料からなる単一および均一性のシールストリップは、別々に両方の区域を包囲する。
シールストリップは、本体の長手方向における２つの直線状の分割壁と、端部において分割壁と連結する環状端壁とを有する。
この方法において、流量計の本体の周りに２つの同一の途切れのないシールストリップを連接して配置することによって、シールストリップの対向する側面を除いた位置において、対向する２つの区域領域が調査される穴において形成されるので、本体と交差する測定流路に通じる穴内の間で流れだけが通過可能である。
【００１３】
シールストリップは、それ自体を多数の異なる方法で流量計の本体に固定することができる。
好ましい実施形態において、分割壁および端壁の内側縁部は、本体に対して配置され、比較的に薄く曲げやすいシールストリップを硬直させて支持する引伸し部を有する。
引伸し部は、接触個所を押圧して封止することによって、すなわち、例えばモールディングによって本体に固定することができ、その引伸し部は、分割壁と長さが等しくなり、分割壁の引伸し部として本体にねじ込まれるモールディングは、本体とモールディングとの間に押圧されて固定される。
このような固定方法によって、異なる区域の対向して隣接する分離壁は、互いに間隔をおいて配置される対角線の位置に都合よく曲げることができる。
これにより、区域間のシーリングを確実に向上させるという点が顕著である。
【００１４】
使い易さおよび手頃な製造原価に基づいて、公知の任意の分離部材を本発明による流量計に使用することができるが、分離部材としては、弾性を有し、かつ円板状のリングであり、本体の長手方向に配置されて、端部で同じ方向に曲がる分離部材が好ましい。
このような分離部材は、使用するために常に嵌合状態を維持されており、穴の表面に対して十分にきつく押圧される。
【００１５】
本発明の一実施形態において、流量計は、補助分離部材によって区切られる第２区間を備え、その区間には、岩盤の穴周辺の電気伝導率を測定する測定手段が配置される。
この第２区間の全長は、調査される実際の区間よりも著しく小さい。
水で満たされた岩盤の裂け目は、岩盤の局所の伝導率に著しく関与するので、伝導率を測定することによって、比較的正確にボーリング穴の中での裂け目の場所を突き止めることができる。
従って、伝導率の明らかな向上が、より短い第２区間の範囲で測定されている場合に、流量計が容易かつ十分な精度で移動されるので、観測される裂け目が、実際の測定区間に確実に含まれる。
さらに、穴の全体が測定され、観測される裂け目が十分な精度によって最初に記録され、この後にのみ流れが測定され、同時に裂け目が観測される。
【００１６】
本発明によれば、流量計は、先行技術と比較して相当の利点を有する。
本発明により、岩盤の割れ目の流量ならびにその速度および方向が、岩盤において掘削される深い穴において迅速かつ正確な方法で調査することができる。
【図面の簡単な説明】
【００１７】
以下の部分において、本発明は、添付図面を参照して本発明の実施形態の例によって、更に詳細に記載される。
【図１】岩盤の割れ目に配置された本発明による流量計を概略的に示す断面図である。
【図２】図１の流量計の詳細を示す図である。
【図３】図１の流量計の第２の詳細を示す図である。
【発明を実施するための形態】
【００１８】
図１乃至図３は、本発明による流量計を示す図である。
流量計は、円形の横断面を有する細長い本体３を備える。この本体３は、調査される区間に十分な気密方法で、岩盤の穴１と分離するために、弾性材料からなる二対の円板状の分離部材４を有する。分離部材４は当該分野において公知であり、互いに少し離れて配置される。
これらに加えて、従来の拡張可能なプラグを、必要に応じて用いることができる。
図２により詳細に示される２つのシールストリップ７は、調査される区間において本体３の周りに配置される。
【００１９】
シールストリップ７は、弾性および軟質ゴムまたはプラスチック材料で形成され、２枚の直線かつ平行な分割壁８および２つの環状の端壁９を有し、この端壁９は、共に両端で分割壁と連結する。
この方法においては、両方のシールストリップは、別々に半円形の断面を形成し、それは、１対の分離部材からもう１対まで、すなわち調査される区間全体にわたって十分に延在する。
シールストリップは、１部の均一性材料からなる途切れのない連接部である。
シールストリップは、本体３の適所に固定される場合に、均一の幅で、流量計が計測穴に挿入されるようにサイズ設定される。シールストリップは、確実に穴の表面と接触して静止し、外縁に向かって曲がる。
ストリップの端部は、また、先細りにされ、それによって、著しく曲がり易くなっている。ストリップの端部は、計測穴内の区切られた領域を閉鎖し、シールストリップと穴の表面との間の流れを実際に遮断する。
このようにして、半円形の横断面を有している２つの区域が穴の内部で形成される。それによって、流れは、本体３と交差する計測流路６を介してそれらの間に通過することだけができる。
流量計は、通過している水流の方向および速度の両方を測定するために流路の中に適切に配置される。
【００２０】
図２および３によれば、シールストリップの下側縁は、引伸し部１０を備える。直線状の分割壁８は、この引伸し部１０によって本体３に全体に渡って固定されている。
図３によれば、シールストリップ７は、例えば適切なモールディング１４を用いて、本体の表面に対して引伸し部を押圧することで引伸し部によって固定される。
これにより、実際的な実験に基づいて、互いに反対側に配置される異なるシールストリップの分割壁が対角線の位置に互いに離れるように曲がり、シールストリップの封止性を確実に向上させる。
【００２１】
実際には、分離部材４間の測定区間は、０．５〜１ｍの全長を有する。しかしながら、測定穴の深さは、さらに数キロメートルである場合がある。
こういった理由で、精密に穴の全てを測定することは合理的ではない。しかしそれよりも、測定されている電位区間、すなわち、割れ目領域２は、最初に見つけ出された位置に配置すべきである。
この目的のために、流量計は、さらに補助分離部材１１を備える。すなわち円板状の分離部材の第３の対を分離部材１５の上部対より上に備える。
それらは、別の実質的な気密区間１２を、測定区間の上、すなわち上述の分離部材１５の上部対の上に定める。この区間において電位測定手段１３が設定される。
【００２２】
電位測定手段１３は、岩盤を介して分離部材１５の対の上を通る電圧差を形成するために用いられる。
乾燥かつ固体の岩盤は、比較的良好な絶縁物である。しかし、湿った割れ目の場合には、分離部材１５の対の間に広がる電圧は、十分に変化する。
この電圧の変化を用いて穴の中で流量計を移動させることによって、例えば、流れを測定する必要がある調査される穴における全ての割れ目を比較的迅速に、最初に測定することができ、記録することができる。それによって、測定を実施するために、１つの割れ目から別の割れ目まで、穴の中の流量計を迅速に移動させることができる。
流量計のシールストリップは、途切れなく十分に密封された測定区域を形成する。そのため、本発明による流量計は、迅速かつ正確な測定のために、穴の必要とされる地点で正確に用いることができる。
【００２３】
本発明は、単に、上記に参照される例にだけ限定されず、多くの変形例は請求項に明確にされる創意の範囲内において可能である。
【図１】
2010502973.tif 000003
【図２】
2010502973.tif 000004
【図３】
2010502973.tif 000005
【国際調査報告】
2010502973.tif 000006
2010502973.tif 000007
2010502973.tif 000008